(57)【特許請求の範囲】
【請求項１】
導体パターンが設けられている回路基板と、この回路基板に設けられている複数の基板側コネクタとをそれぞれ有し、各乗場階に対応して昇降路内に配置されている複数の分岐ユニット、
上記基板側コネクタに接続される縦通ケーブル用コネクタをそれぞれ有し、上記分岐ユニットと制御盤との間、及び上記分岐ユニット間を接続する複数本の縦通ケーブル、及び
上記基板側コネクタに接続される分岐ケーブル用コネクタをそれぞれ有し、上記各乗場階に対応して設けられた機器と上記分岐ユニットとの間を接続する複数本の分岐ケーブル
を備え、
上記導体パターンには、上記制御盤と上記機器とを電気的に直列に接続する直列回路の導体パターンと、上記機器を上記制御盤に対して電気的に並列に接続する並列回路の導体パターンとが含まれており、
上記基板側コネクタ、上記縦通ケーブル用コネクタ及び上記分岐ケーブル用コネクタの機械的な構造が、接続される組み合わせ毎に異なっており、上記縦通ケーブル用コネクタ及び上記分岐ケーブル用コネクタは、対応する基板側コネクタとのみ接続可能になっていることを特徴とするエレベータの昇降路配線装置。
【請求項２】
基板側コネクタ、縦通ケーブル用コネクタ及び分岐ケーブル用コネクタのピン数が、接続される組み合わせ毎に異なっていることを特徴とする請求項１記載のエレベータの昇降路配線装置。
【発明の詳細な説明】
【０００１】
【発明の属する技術分野】
この発明は、各乗場階に設けられた機器と制御盤とを接続するためのエレベータの昇降路配線装置に関するものである。
【０００２】
【従来の技術】
図４は従来のエレベータの昇降路配線装置の配線状態の一例を示す説明図である。図において、昇降路内には、エレベータの制御盤４に接続された１本の幹線ケーブル１が配置されている。幹線ケーブル１の中間部及び下端部には、各乗場階に対応して複数の分岐箱２が配置されている。
【０００３】
各乗場階に設けられた戸閉スイッチ５、乗場操作信号装置６、最上階に設けられた上部終点スイッチ７、最下階に設けられた下部終点スイッチ８は、幹線ケーブル１及び複数本の分岐ケーブル（枝ケーブル）３を介して制御盤４に接続されている。分岐ケーブル３は、分岐箱２内で幹線ケーブル１に電気的に接続されている。
【０００４】
なお、上記のような従来のエレベータの昇降路配線装置は、例えば実開平３−５３９７８号公報及び特開平５−３０６０８０号公報に示されている。
【０００５】
【発明が解決しようとする課題】
上記のように構成された従来のエレベータの昇降路配線装置においては、１本の連続した幹線ケーブル１が、昇降路の上部に配置された制御盤４から最下階まで配置されているため、高揚程のエレベータでは、幹線ケーブル１がかなり重くなり、ケーブル加工工場での取扱いや現場での据付作業に手間がかかる。また、幹線ケーブル１の加工時には、建物毎の階高に応じて、分岐箱２の位置で絶縁被覆を取り除き、露出した心線に分岐ケーブル３の心線を閉端接続子により接続する必要があり、しかもこれらの作業を手作業で行うため、作業効率が低下してしまう。
【０００６】
この発明は、上記のような問題点を解決することを課題としてなされたものであり、ケーブルを軽量化することができるとともに、加工及び据付を容易にすることができるエレベータの昇降路配線装置を得ることを目的とする。
【０００７】
【課題を解決するための手段】
請求項１の発明に係るエレベータの昇降路配線装置は、回路基板と、この回路基板に設けられている複数の基板側コネクタとをそれぞれ有し、各乗場階に対応して昇降路内に配置されている複数の分岐ユニット、基板側コネクタに接続される縦通ケーブル用コネクタをそれぞれ有し、分岐ユニットと制御盤との間、及び分岐ユニット間を接続する複数本の縦通ケーブル、及び基板側コネクタに接続される分岐ケーブル用コネクタをそれぞれ有し、各乗場階に対応して設けられた機器と分岐ユニットとの間を接続する複数本の分岐ケーブルを備え、基板側コネクタ、縦通ケーブル用コネクタ及び分岐ケーブル用コネクタの機械的な構造が、接続される組み合わせ毎に異なっており、縦通ケーブル用コネクタ及び分岐ケーブル用コネクタは、対応する基板側コネクタとのみ接続可能になっているものである。
【０００８】
請求項２の発明に係るエレベータの昇降路配線装置は、基板側コネクタ、縦通ケーブル用コネクタ及び分岐ケーブル用コネクタのピン数が、接続される組み合わせ毎に異なっているものである。
【０００９】
請求項３の発明に係るエレベータの昇降路配線装置は、制御盤と複数の機器とを電気的に直列に接続する導体パターンが回路基板に設けられているものである。
【００１０】
請求項４の発明に係るエレベータの昇降路配線装置は、複数の機器を制御盤に対して電気的に並列に接続する導体パターンが回路基板に設けられているものである。
【００１１】
【発明の実施の形態】
以下、この発明の実施の形態を図について説明する。
実施の形態１．
図１はこの発明の実施の形態１によるエレベータの昇降路配線装置を示す斜視図である。図において、昇降路１１の上部には、エレベータの運転を制御する制御盤１２が設置されている。
【００１２】
昇降路１１内には、各乗場階に対応して設けられた機器である戸閉スイッチ１３、乗場操作信号装置（乗場インジケータ・乗場ボタン）１４、上部終点スイッチ１５及び下部終点スイッチ１６が配置されている。戸閉スイッチ１３及び乗場操作信号装置１４は、全ての乗場階に対応して設けられている。上部終点スイッチ１５は最上階に、下部終点スイッチ１６は最下階に対応して設けられている。
【００１３】
また、昇降路１１内には、各乗場階に対応して複数の分岐ユニット（分岐箱）１７が配置されている。最上部に位置する分岐ユニット１７と制御盤１２との間、及び分岐ユニット１７間は、複数本の縦通ケーブル１８によりそれぞれ接続されている。
【００１４】
戸閉スイッチ１３、乗場操作信号装置１４、上部終点スイッチ１５及び下部終点スイッチ１６と分岐ユニット１７との間は、複数本の分岐ケーブル１９ａ〜１９ｄによりそれぞれ接続されている。実施の形態１の昇降路配線装置は、分岐ユニット１７、縦通ケーブル１８及び分岐ケーブル１９ａ〜１９ｄを有している。
【００１５】
昇降路１１と各階の乗場２０との間には、乗場の戸２１が設けられている。乗場の戸２１は、乗場ドア装置２２により開閉される。戸閉スイッチ１３は、乗場ドア装置２２に設けられており、乗場の戸２１が戸閉状態にあるときに閉じられる接点を有している。昇降路１１内には、かご（図示せず）の昇降を案内するガイドレール２３が設けられている。
【００１６】
次に、図２は図１の分岐ユニット１７を示す構成図である。図において、分岐ユニット１７は、回路基板３１と、この回路基板３１に設けられている複数の基板側コネクタ３２ａ〜３２ｄとをそれぞれ有している。縦通ケーブル１８は、基板側コネクタ３２ａ，３２ｂに接続される縦通ケーブル用コネクタ３３ａ，３３ｂをそれぞれ有している。
【００１７】
分岐ケーブル１９ａ，１９ｂは、基板側コネクタ３２ｃ，３２ｄに接続される分岐ケーブル用コネクタ３３ｃ，３３ｄをそれぞれ有している。基板側コネクタ３２ａ〜３２ｄ、縦通ケーブル用コネクタ３３ａ，３３ｂ及び分岐ケーブル用コネクタ３３ｃ，３３ｄのピン数は、接続される組み合わせ毎に異なっている。
【００１８】
例えば、基板側コネクタ３２ａは１２極コネクタ（１２ピンコネクタ）であり、基板側コネクタ３２ｂは１６極コネクタであり、基板側コネクタ３２ｃは３極コネクタであり、基板側コネクタ３２ｄは６極コネクタである。従って、縦通ケーブル用コネクタ３３ａ，３３ｂ及び分岐ケーブル用コネクタ３３ｃ，３３ｄは、対応する基板側コネクタ３２ａ〜３２ｄとのみ接続可能になっている。
【００１９】
回路基板３１には、制御盤１２と戸閉スイッチ１３とを電気的に直列に接続する導体パターン（直列回路）３４が設けられている。また、回路基板３１には、各乗場操作信号装置１４を制御盤１２に対して電気的に並列に接続する導体パターン（並列回路）３５が設けられている。
【００２０】
図２に示した分岐ユニット１７は、図１の中間階に対応したものであり、最上階及び最下階に対応した分岐ユニット１７には、それぞれ分岐ケーブル１９ｃ，１９ｄを接続するための基板側コネクタ（図示せず）が設けられている。そして、分岐ケーブル１９ｃ，１９ｄには、対応する基板側コネクタとのみ接続可能な分岐ケーブル用コネクタ（図示せず）が設けられている。
【００２１】
このようなエレベータの昇降路配線装置では、分岐ユニット１７に回路基板３１と基板側コネクタ３２ａ〜３２ｄとを設け、分岐ユニット１７と制御盤１２との間、及び分岐ユニット１７間は、複数本の縦通ケーブル１８により接続するようにしたので、高揚程のエレベータであっても、１本ずつの縦通ケーブル１８は短くなる。従って、縦通ケーブル１８を軽量化することができ、製造時及び据付時の取扱いを容易にすることができる。
【００２２】
また、基板側コネクタ３２ａ〜３２ｄ、縦通ケーブル用コネクタ３３ａ，３３ｂ及び分岐ケーブル用コネクタ３３ｃ，３３ｄのピン数は、接続される組み合わせ毎に異なっているため、簡単な構造により、接続ミスを防止することができ、接続作業の作業性を向上させることができる。
【００２３】
さらに、ケーブル加工の機械化を図ることができ、加工コストを低減することができる。さらにまた、縦通ケーブル１８を事前に作り溜めしておくことができ、コストの低減及び納期の短縮を図ることができる。また、階高等の仕様変更にも容易に対応することができる。さらに、ケーブル加工に必要な作業面積が小さくて済む。
【００２４】
さらにまた、回路基板３１には、直列回路の導体パターン３４が設けられているため、複数の戸閉スイッチ１３等を容易に直列に接続することができる。また、回路基板３１には、並列回路の導体パターン３５も設けられているため、乗場操作信号装置１４等を制御盤１２に対して容易に並列に接続することができ、かつ各機器への電源供給等も容易に実現できる。
【００２５】
なお、実施の形態１では、接続される組み合わせ毎にピン数を変えたが、コネクタの外周部の嵌合部の形状を変えるなどしてもよい。また、対応するキー孔に挿入されるキーピンを設け、接続される組み合わせ毎に、キー孔とキーピンの位置を変えるなどしてもよい。
【００２６】
実施の形態２．
次に、図３はこの発明の実施の形態２によるエレベータの昇降路配線装置の配線状態を示す説明図である。実施の形態１では、分岐ユニット１７間に２本の縦通ケーブル１８を接続したが、実施の形態２では、１区間に配置される縦通ケーブル１８を１本としている。但し、１本の縦通ケーブル１８には、複数（ここでは３個）の縦通ケーブル用コネクタ３３ｅ，３３ｆ，３３ｇが設けられている。従って、回路基板３１には、縦通ケーブル用コネクタ３３ｅ，３３ｆ，３３ｇに対応した基板側コネクタ３２ｅ，３２ｆ，３２ｇが設けられている。他の構成は、実施の形態１と同様である。
【００２７】
このような昇降路配線装置によっても、縦通ケーブル１８を軽量化することができ、製造時及び据付時の取扱いを容易にすることができる。また、簡単な構造により、接続ミスを防止することができ、接続作業の作業性を向上させることができる。
【００２８】
なお、上記の例では、昇降路１１の上部に制御盤１２が配置される場合を示したが、制御盤１２が昇降路１１内の上部、中間部、底部に配置されるエレベータにもこの発明の昇降路配線装置を適用することができる。
【００２９】
また、上記の例では、乗場階に対応して設けられる機器として、戸閉スイッチ１３、乗場操作信号装置１４、上部終点スイッチ１５及び下部終点スイッチ１６を示したが、例えば他の安全装置や照明装置等であってもよい。
【００３０】
【発明の効果】
以上説明したように、請求項１の発明のエレベータの昇降路配線装置は、分岐ユニットに回路基板と基板側コネクタとを設け、分岐ユニットと制御盤との間、及び分岐ユニット間は、複数本の縦通ケーブルにより接続するようにしたので、高揚程のエレベータであっても、１本ずつの縦通ケーブルを短くして、縦通ケーブルを軽量化することができ、工場での加工時及び現場での据付時の取扱いを容易にすることができる。また、基板側コネクタ、縦通ケーブル用コネクタ及び分岐ケーブル用コネクタの機械的構造が、接続される組み合わせ毎に異なっているため、接続ミスを防止することができ、接続作業の作業性を向上させることができる。
【００３１】
請求項２の発明のエレベータの昇降路配線装置は、基板側コネクタ、縦通ケーブル用コネクタ及び分岐ケーブル用コネクタのピン数が、接続される組み合わせ毎に異なっているため、簡単な構造により、接続ミスを防止することができ、接続作業の作業性を向上させることができる。
【００３２】
請求項３の発明のエレベータの昇降路配線装置は、制御盤と複数の機器とを電気的に直列に接続する導体パターンが回路基板に設けられているので、複数の機器を容易に直列に接続することができる。
【００３３】
請求項４の発明に係るエレベータの昇降路配線装置は、複数の機器を制御盤に対して電気的に並列に接続する導体パターンが回路基板に設けられているので、複数の機器を制御盤に対して容易に並列に接続することができ、かつ各機器への電源供給等も容易に実現できる。
【図面の簡単な説明】
【図１】  この発明の実施の形態１によるエレベータの昇降路配線装置を示す斜視図である。
【図２】  図１の分岐ユニットを示す構成図である。
【図３】  この発明の実施の形態２によるエレベータの昇降路配線装置の配線状態を示す説明図である。
【図４】  従来のエレベータの昇降路配線装置の配線状態の一例を示す説明図である。
【符号の説明】
１１  昇降路、１２  制御盤、１３  戸閉スイッチ（機器）、１４  乗場操作信号装置（機器）、１５  上部終点スイッチ（機器）、１６  下部終点スイッチ（機器）、１７  分岐ユニット、１８  縦通ケーブル、１９ａ〜１９ｄ  分岐ケーブル、３１  回路基板、３２ａ〜３２ｄ  基板側コネクタ、３３ａ，３３ｂ  縦通ケーブル用コネクタ、３３ｓ，３３ｄ  分岐ケーブル用コネクタ、３４，３５  導体パターン。
【図１】
0005025854.tif 000002
【図２】
0005025854.tif 000003
【図３】
0005025854.tif 000004
【図４】
0005025854.tif 000005